(57)【要約】  【課題】  ＡＰから電磁波が出力されているか否かを容易に把握することのできる技術を提供すること。  【解決手段】  ＡＰ１１０において、監視対象とする他のＡＰ１１０を特定する情報を記憶しておき、他のＡＰ１１０から送信される信号を監視し、他のＡＰ１１０から送信される信号を受信することのできなかった回数が予め定められた回数を超えた場合には、当該他のＡＰ１１０が故障したものと判断する。【選択図】図１
2009284423.tif 000002
【特許請求の範囲】
【請求項１】
監視対象となる他のアクセスポイントを特定する情報を記憶する記憶部と、制御部と、を備えるアクセスポイントであって、
前記制御部は、
無線通信のチャネルを切り替えることで、他のアクセスポイントから送信された信号を受信する処理と、
前記他のアクセスポイントから送信された信号を受信することのできなかった回数が、予め定められた回数を超えた場合には、信号を受信することのできなかった回数が予め定められた回数を超えた他のアクセスポイントを特定する情報を生成する処理と、を行うこと、
を特徴とするアクセスポイント。
【請求項２】
請求項１に記載のアクセスポイントであって、
前記制御部は、
予め定められた監視時刻の経過後において、無線通信のチャネルを切り替えることで、他のアクセスポイントから送信された信号を受信する処理を行うこと、
を特徴とするアクセスポイント。
【請求項３】
請求項２に記載のアクセスポイントであって、
前記制御部は、
予め定められた監視時刻から、ランダムに選択される時間が経過した時に、無線通信のチャネルを切り替えることで、他のアクセスポイントから送信された信号を受信する処理を行うこと、
を特徴とするアクセスポイント。
【請求項４】
請求項１乃至３の何れか一項に記載のアクセスポイントであって、
前記制御部は、
信号を受信することのできなかった回数が予め定められた回数を超えた他のアクセスポイントを特定する情報を、予め定められた端末に送信すること、
を特徴とするアクセスポイント。
【請求項５】
請求項１乃至４の何れか一項に記載のアクセスポイントであって、
前記制御部は、
自アクセスポイントにおいて設定することのできるチャネルから、自アクセスポイントにおいて設定されている通信チャネルを除いた全てのチャネルにおいて、他のアクセスポイントから送信された信号を受信すること、
を特徴とするアクセスポイント。
【請求項６】
請求項１乃至４の何れか一項に記載のアクセスポイントであって、
前記制御部は、
無線通信のチャネルを切り替えることで、他のアクセスポイントから送信された信号を受信する処理と、
受信した信号から、当該信号を送信した他のアクセスポイント特定する情報を取得する処理と、
自アクセスポイントにおいて設定することのできるチャネルから、自アクセスポイントにおいて設定されている通信チャネルを除いた全てのチャネルにおいて、他のアクセスポイントから送信された信号を受信して取得した全ての他のアクセスポイントを特定する情報を、監視対象とする他のアクセスポイントの候補を特定する情報とする処理と、を行うこと、
を特徴とするアクセスポイント。
【請求項７】
アクセスポイントと、当該アクセスポイントを管理する管理装置と、を備える通信システムであって、
前記アクセスポイントは、監視対象となる他のアクセスポイントを特定する情報を記憶する記憶部と、制御部と、を備え
前記アクセスポイントの制御部は、
無線通信のチャネルを切り替えることで、他のアクセスポイントから送信された信号を受信する処理と、
前記他のアクセスポイントから送信された信号を受信することのできなかった回数が、予め定められた回数を超えた場合には、信号を受信することのできなかった回数が予め定められた回数を超えた他のアクセスポイントを特定する情報を生成する処理と、
前記他のアクセスポイントを特定する情報を前記管理装置に送信する処理と、
を行うこと、
を特徴とする通信システム。
【発明の詳細な説明】
【技術分野】
【０００１】
本発明は、無線を介して通信を行う技術に関する。
【背景技術】
【０００２】
通信ネットワークの一つとして、無線ＬＡＮ（Local Area Network）の技術が利用されている。無線ＬＡＮの技術では、アクセスポイント（以下、ＡＰという）と呼ばれる無線中継装置が、無線端末との間で無線により情報を送受信する。
【０００３】
そして、ＡＰから出力する電磁波の状態については、電磁波を測定する専用の機器（例えば、特許文献１に記載の無線通信機器）を用いて計測することにより、電磁波の出力の有無、電磁波の強度等を特定している。
【０００４】
【特許文献１】特開２００７−２７９３２号公報
【発明の開示】
【発明が解決しようとする課題】
【０００５】
特許文献１に記載の無線通信機器のように、専用の機器を用いて電磁波を測定する場合には、ＡＰの故障等により、ＡＰから電磁波が出力されなくなったような場合には、故障の有無の特定、および、故障しているＡＰの特定に時間がかかり、不便であった。
【０００６】
そこで、本発明は、ＡＰから電磁波が出力されているか否かを容易に把握することのできる技術を提供することを目的とする。
【課題を解決するための手段】
【０００７】
以上の課題を解決するため、本発明は、ＡＰにおいて他のＡＰから送信する信号を監視する。
【０００８】
例えば、本発明は、監視対象となる他のアクセスポイントを特定する情報を記憶する記憶部と、制御部と、を備えるアクセスポイントであって、前記制御部は、無線通信のチャネルを切り替えることで、他のアクセスポイントから送信された信号を受信する処理と、前記他のアクセスポイントから送信された信号を受信することのできなかった回数が、予め定められた回数を超えた場合には、信号を受信することのできなかった回数が予め定められた回数を超えた他のアクセスポイントを特定する情報を生成する処理と、を行うこと、を特徴とする。
【発明の効果】
【０００９】
以上のように、本発明によれば、ＡＰから電磁波が出力されているか否かを容易に把握することのできる技術を提供することができる。
【発明を実施するための最良の形態】
【００１０】
図１は、本発明の一実施形態である通信システム１００の概略図である。
【００１１】
図示するように、通信システム１００は、ＡＰ１１０と、管理装置１３０と、を備えている。そして、ＡＰ１１０及び管理装置１３０は、ＬＡＮ１５２を介して相互に情報の送受信が可能となっており、また、ルータ１５０を介して、ＷＡＮ（Wide Area Network）１５３に接続することができるようにされている。また、ＡＰ１１０は、無線を介して、通信端末１５０との間で情報を送受信することができるようにされている。
【００１２】
図２は、ＡＰ１１０の概略図である。
【００１３】
図示するように、ＡＰ１１０は、無線通信部１１１と、制御部１１２と、記憶部１１７と、有線通信部１２２と、を備える。
【００１４】
無線通信部１１１は、アンテナ１２３を介して送受信を行う無線信号を処理する。
【００１５】
具体的には、アンテナ１２３を介して送受信を行う無線信号の変調及び復調処理を行うＲＦ（Radio Frequency）処理、ベースバンド信号の変調及び復調を行うベースバンド信号処理、物理層の上位のデータリンク層においてフレームの送受信方法やフレームの形式及び誤り検出方法等を規定するＭＡＣ（Media Access Control）プロトコルに従ったＭＡＣ処理、を行う。
【００１６】
特に、本実施形態においては、無線通信部１１１は、後述する監視部１１５の指示に応じて、無線チャンネルを変更して、他のＡＰからの信号（本実施形態では、ビーコン信号）を受信し、必要な情報を監視部１１５に出力する。
【００１７】
制御部１１２は、全体制御部１１３と、通信処理部１１４と、監視部１１５と、を備える。
【００１８】
全体制御部１１３は、ＡＰ１１０全体の処理を制御する。特に、本実施形態においては、ＡＰ１１０の電源ＯＮ又はリセット時に、制御部１１２及び記憶部１１７の正常性を確認する処理を行う。
【００１９】
通信処理部１１４は、ＡＰ１１０における通信処理を制御する。
【００２０】
監視部１１５は、他のＡＰ１１０の通信状況の取得及び監視を行う。
【００２１】
例えば、本実施形態においては、監視部１１５は、他のＡＰ１１０が送信する信号（例えば、ビーコン信号）を受信して、必要な情報を抽出し、後述する登録情報テーブル１１８ａに格納する処理を行う。
【００２２】
また、監視部１１５は、所定のタイミングにおいて、監視リストテーブル１１９ａに登録されているＡＰ１１０が送信する信号（例えば、ビーコン信号）を受信して、予め定められた検出情報を取得し、後述する監視リストテーブル１１９ａに格納する処理を行う。
【００２３】
そして、監視部１１５は、監視リストテーブル１１９ａに登録されているＡＰ１１０が送信する信号（例えば、ビーコン信号）を受信できない回数が予め定められた回数を超えた場合には、予め定められた形式の故障情報を生成する処理を行う。
【００２４】
さらに、監視部１１５は、管理装置１３０より送信されてきた監視リストテーブル１１９ａを監視リスト記憶領域１１９に記憶する処理を行う。
【００２５】
記憶部１１７は、登録情報記憶領域１１８と、監視リスト記憶領域１１９と、故障情報記憶領域１２０と、を備える。
【００２６】
登録情報記憶領域１１８には、自ＡＰ１１０において電波を受信することのできる他のＡＰ１１０を特定する情報が記憶される。
【００２７】
例えば、本実施形態においては、図３（登録情報テーブル１１８ａの概略図）に示すような登録情報テーブル１１８ａが登録情報記憶領域１１８に記憶される。
【００２８】
図示するように、登録情報テーブル１１８ａは、ＢＳＳＩＤ欄１１８ｂと、チャネル欄１１８ｃと、ＳＳＩＤ欄１１８ｄと、受信レベル欄１１８ｅと、を有する。
【００２９】
ＢＳＳＩＤ欄１１８ｂには、他のＡＰ１１０から受信した信号（例えば、ビーコン信号）におけるＭＡＣフレームから抽出されたＢＳＳＩＤが格納される。
【００３０】
チャネル欄１１８ｃには、他のＡＰ１１０から受信した信号（例えば、ビーコン信号）より抽出されたチャネル番号を特定する情報が格納される。
【００３１】
ＳＳＩＤ欄１１８ｄには、他のＡＰ１１０から受信した信号（例えば、ビーコン信号）より抽出されたＥＳＳ又はＩＢＳＳの識別子を特定する情報が格納される。
【００３２】
受信レベル欄１１８には、他のＡＰ１１０から受信した信号（例えば、ビーコン信号）の受信電圧のレベルを特定する情報が格納される。
【００３３】
図２に戻り、監視リスト記憶領域１１９には、監視部１１５において電磁波の送信状況を監視する他のＡＰ１１０を特定する情報と、当該他のＡＰ１１０から送信された信号を受信することのできなかった回数を特定する情報と、が格納される。
【００３４】
例えば、本実施形態においては、図４（監視リストテーブル１１９ａの概略図）に示すような監視リストテーブル１１９ａが監視リスト記憶領域１１９に記憶される。
【００３５】
図示するように、監視リストテーブル１１９ａは、登録情報領域１１９ｂと、検出情報領域１１９ｃと、監視情報領域１１９ｄと、を備える。
【００３６】
登録情報領域１１９ｂは、項番欄１１９ｅと、ＡＰ名欄１１９ｆと、ＢＳＳＩＤ欄１１９ｇと、チャネル欄１１９ｈと、ＳＳＩＤ欄１１９ｉと、を有する。
【００３７】
項番欄１１９ｅには、監視リストテーブル１１９ａで監視を行うＡＰ１１０を一意に識別するための識別情報である項番（ここでは、自然数による連番）が格納される。
【００３８】
ＡＰ名欄１１９ｆには、監視リストテーブル１１９ａで監視を行うＡＰ１１０の名称であるＡＰ名が格納される。
【００３９】
ＢＳＳＩＤ欄１１９ｇには、項番欄１１９ｅ及びＡＰ名欄１１９ｆの少なくとも何れか一方で特定されるＡＰ１１０が使用するＢＳＳＩＤを特定する情報が格納される。
【００４０】
チャネル欄１１９ｈには、項番欄１１９ｅ及びＡＰ名欄１１９ｆの少なくとも何れか一方で特定されるＡＰ１１０が使用するチャネルを特定する情報が格納される。
【００４１】
ＳＳＩＤ欄１１９ｉには、項番欄１１９ｅ及びＡＰ名欄１１９ｆの少なくとも何れか一方で特定されるＡＰ１１０が使用するＥＳＳ又はＩＢＳＳの識別子を特定する情報が格納される。
【００４２】
なお、登録情報領域１１９ｂに格納される情報については、ＡＰ１１０での監視を開始する前に、予め格納されるものとする。
【００４３】
検出情報欄１１９ｃは、チャネル欄１１９ｊと、ＳＳＩＤ欄１１９ｋと、無線モード欄１１９ｌと、暗号方式欄１１９ｍと、ビーコン周期欄１１９ｎと、受信レベル欄１１９ｏと、最終検出日時欄１１９ｐと、を有する。
【００４４】
チャネル欄１１９ｊには、項番欄１１９ｅ及びＡＰ名欄１１９ｆの少なくとも何れか一方で特定されるＡＰ１１０からの信号（ここでは、ビーコン信号）のチャネル番号を特定する情報が格納される。
【００４５】
ＳＳＩＤ欄１１９ｋには、項番欄１１９ｅ及びＡＰ名欄１１９ｆの少なくとも何れか一方で特定されるＡＰ１１０からの信号（ここでは、ビーコン信号）のＥＳＳ又はＩＢＳＳの識別子を特定する情報が格納される。
【００４６】
無線モード欄１１９ｌには、項番欄１１９ｅ及びＡＰ名欄１１９ｆの少なくとも何れか一方で特定されるＡＰ１１０からの信号（ここでは、ビーコン信号）の無線モードを特定する情報が格納される。
【００４７】
暗号方式欄１１９ｍには、項番欄１１９ｅ及びＡＰ名欄１１９ｆの少なくとも何れか一方で特定されるＡＰ１１０からの信号（ここでは、ビーコン信号）の暗号方式を特定する情報が格納される。
【００４８】
ビーコン周期欄１１９ｎには、項番欄１１９ｅ及びＡＰ名欄１１９ｆの少なくとも何れか一方で特定されるＡＰ１１０からの信号（ここでは、ビーコン信号）のビーコン周期を特定する情報が格納される。
【００４９】
受信レベル欄１１９ｏには、項番欄１１９ｅ及びＡＰ名欄１１９ｆの少なくとも何れか一方で特定されるＡＰ１１０からの信号（ここでは、ビーコン信号）の受信レベルを特定する情報が格納される。
【００５０】
最終検出日時欄１１９ｐには、項番欄１１９ｅ及びＡＰ名欄１１９ｆの少なくとも何れか一方で特定されるＡＰ１１０からの信号（ここでは、ビーコン信号）を検出した最後の検出日時を特定する情報が格納される。
【００５１】
なお、検出情報領域１１９ｃにおける、チャネル欄１１９ｊ、ＳＳＩＤ欄１１９ｋ、無線モード欄１１９ｌ、暗号方式欄１１９ｍ、ビーコン周期欄１１９ｎには、ビーコン信号のＭＡＣフレーム又はビーコン信号の情報要素から抽出された情報が格納され、受信レベル欄１１９ｏには、無線通信部１１１で計測されたビーコン信号の受信レベル（受信強度）が格納され、最終検出日時欄１１９ｐには、監視部１１５が最後にビーコン信号を受信した日時を特定する情報が格納される。
【００５２】
監視情報領域１１９ｄは、再確認回数欄１１９ｑを有する。
【００５３】
再確認回数欄１１９ｑには、項番欄１１９ｅ及びＡＰ名欄１１９ｆの少なくとも何れか一方で特定されるＡＰ１１０からの信号（ここでは、ビーコン信号）を受信することのできなかった回数を特定する情報が格納される。
【００５４】
図２に戻り、故障情報記憶領域１２０には、信号（ここでは、ビーコン信号）を受信することのできなかった回数が予め定められた回数を超えたＡＰ１１０を特定する情報（ここでは、ＡＰ名及びＢＳＳＩＤ）を特定する情報が記憶される。
【００５５】
有線通信部１２２は、有線ＬＡＮを介して情報の送受信を行うためのインターフェースである。
【００５６】
図５は、管理装置１３０の概略図である。
【００５７】
図示するように管理装置１３０は、記憶部１３１と、制御部１３６と、入力部１４０と、出力部１４１と、通信部１４２と、を備える。
【００５８】
記憶部１３１は、管理情報記憶領域１３２と、監視リスト記憶領域１３３と、故障情報記憶領域１３４と、を備える。
【００５９】
管理情報記憶領域１３２には、各ＡＰ１１０から送信されてきた管理情報テーブル１１８ａが、送信してきたＡＰ１１０に対応付けられて記憶される。
【００６０】
監視リスト記憶領域１３３には、各々のＡＰ１１０毎の監視リストテーブル１１９ａが、各々のＡＰ１１０に対応付けられて記憶される。
【００６１】
故障情報記憶領域１３４には、各ＡＰ１１０から送信されてきた故障情報が記憶される。
【００６２】
制御部１３６は、全体制御部１３７と、管理部１３８と、を備える。
【００６３】
全体制御部１３７は、管理装置１３０における全体の処理を制御する。
【００６４】
管理部１３８は、各ＡＰ１１０を管理するための処理を制御する。
【００６５】
例えば、管理部１３８は、各ＡＰ１１０から送信されてきた管理情報テーブルを管理情報記憶領域１３２に記憶し、記憶した管理情報テーブル１１８ａを予め定められた表示形式に加工した管理情報出力画面を生成し、生成した管理情報出力画面を出力部１４１に出力する。
【００６６】
そして、管理部１３８は、出力部１４１に出力した管理情報出力画面において、入力部１４０を介してオペレータより監視するＡＰ１１０の選択を受け付けると、選択されたＡＰ１１０のＢＳＳＩＤを特定する情報、チャネルを特定する情報、および、ＥＳＳ又はＩＢＳＳの識別子を特定する情報、を管理情報テーブル１１８ａから抽出して、監視リストテーブル１１９ｂの登録情報領域１１９ｂに格納して、各々のレコードに項番を割り振り、ＡＰ名を特定して、各々項番欄１１９ｅ及びＡＰ名欄１１９ｆに格納することで、監視リストテーブル１１９ａを生成し、管理情報テーブル１１８ａを送信してきたＡＰ１１０に対応付けて監視リスト記憶領域１３３に記憶する。
【００６７】
また、管理部１３８は、入力部１４０を介して、オペレータよりＡＰ１１０を識別するための識別情報を特定した送信指示の入力を受け付けると、当該ＡＰ１１０に対して、当該ＡＰ１１０に対応付けて記憶されている監視リストテーブル１１９ａを、通信部１４２を介して送信する処理を行う。
【００６８】
さらに、管理部１３８は、各ＡＰ１１０から送信されてきた故障情報を、送信してきたＡＰ１１０に対応付けて、故障情報記憶領域１３４に記憶する処理を行う。
【００６９】
また、管理部１３８は、故障情報記憶領域１３４に記憶されている故障情報を予め定められた表示形式に加工した故障情報出力画面を生成し、生成した管理情報出力画面を出力部１４１に出力する処理を行う。
【００７０】
入力部１４０は、情報の入力を受け付ける。
【００７１】
出力部１４１は、情報を出力する。
【００７２】
通信部１４２は、ＬＡＮ１３０を介して、情報を送受信するインターフェースである。
【００７３】
以上に記載した管理装置１３０は、例えば、ＣＰＵ（Central Processing Unit）と、メモリと、ＨＤＤ（Hard Disk Drive）等の外部記憶装置と、ＣＤ−ＲＯＭ（Compact Disk Read Only Memory）やＤＶＤ−ＲＯＭ（Digital Versatile Disk Read Only Memory）等の可搬性を有する記憶媒体から情報を読み出す読取装置と、キーボードやマウスなどの入力装置と、ディスプレイなどの出力装置と、通信ネットワークに接続するためのＮＩＣ（Network Interface Card）等の通信装置と、を備えた一般的なコンピュータで実現できる。
【００７４】
例えば、記憶部１３１は、ＣＰＵがメモリ又は外部記憶装置を利用することにより実現可能であり、制御部１３６は、外部記憶装置に記憶されている所定のプログラムをメモリにロードしてＣＰＵで実行することで実現可能であり、入力部１４０は、ＣＰＵが入力装置を利用することで実現可能であり、出力部１４１は、ＣＰＵが出力装置を利用することで実現可能であり、通信部１４２は、ＣＰＵが通信装置を利用することで実現可能である。
【００７５】
この所定のプログラムは、読取装置を介して記憶媒体から、あるいは、通信装置を介してネットワークから、外部記憶装置にダウンロードされ、それから、メモリ上にロードされてＣＰＵにより実行されるようにしてもよい。また、読取装置を介して記憶媒体から、あるいは、通信装置を介してネットワークから、メモリ上に直接ロードされ、ＣＰＵにより実行されるようにしてもよい。
【００７６】
図６は、ＡＰ１１０における自己診断処理を示すフローチャートである。
【００７７】
まず、ＡＰ１１０の全体制御部１１３は、ＡＰ１１０の電源がＯＮ又はリセットされると（Ｓ１０）、通信処理部１１４の初期設定を行う（Ｓ１１）。
【００７８】
次に、全体制御部１１３は、記憶部１１７において、ワークメモリとして使用される領域の初期化と書き込みテストを行う（Ｓ１２）。
【００７９】
次に、全体制御部１１３は、ステップＳ１２における書き込みテストの結果に異常があるかないかを確認し（Ｓ１３）、異常がある場合にはステップＳ１４に進み、異常がない場合にはステップＳ１５に進む。
【００８０】
ステップＳ１５では、全体制御部１１３は、記憶部１１７において、プログラムメモリとして使用される領域の正常性を確認する。
【００８１】
そして、全体制御部１１３は、ステップＳ１５における正常性の確認において異常があるかないかを確認し（Ｓ１６）、異常がある場合にはステップＳ１４に進み、異常がない場合には、処理を終了し、通信処理を開始する。
【００８２】
一方、ステップＳ１４では、全体制御部１１３は、エラー処理を行う。例えば、全体制御部１１３は、ＡＰ１１０にエラーが生じた旨を特定する情報を、有線通信部１２２を介して、管理装置１３０に送信する処理を行う。
【００８３】
図７は、ＡＰ１１０が他のＡＰ１１０の通信状況を取得する処理を示すフローチャートである。
【００８４】
まず、ＡＰ１１０の監視部１１５は、他のＡＰ１１０での処理と重ならないように処理時刻を決定する（Ｓ２０）。例えば、監視部１１５は、乱数を生成又は取得して、当該乱数に対応する時間が経過した時を処理時刻とする。
【００８５】
そして、監視部１１５は、ステップＳ２１で決定した処理時刻になったか否かを確認し（Ｓ２１）、処理時刻になった場合には（ステップＳ２１でＹｅｓ）、通信処理部１１４での処理を停止する（Ｓ２２）。
【００８６】
次に、監視部１１５は、無線通信部１１１を制御して、未だステップＳ２４の処理を行っていないチャネルを一つ選択し、無線通信部１１１の通信チャネルを選択したチャネルに変更する（Ｓ２３）。
【００８７】
次に、監視部１１５は、無線通信部１１１を介して、ステップＳ２３で変更されたチャネルにおいてＡＰ１１０からのビーコン信号を受信できるか否かにより、ＡＰ１１０の検出を行う（Ｓ２４）。
【００８８】
そして、監視部１１５は、ステップＳ２４において、ステップＳ２３で変更されたチャネルにおいてＡＰ１１０からのビーコン信号を受信できた場合には（Ｓ２５でＹｅｓ）、ステップＳ２６に進み、受信できなかった場合には（Ｓ２５でＮｏ）、ステップＳ２７に進む。
【００８９】
ステップＳ２６では、監視部１１５は、ステップＳ２４で検出したビーコン信号より、ＭＡＣフレームに格納されているＢＳＳＩＤと、ビーコン信号の情報要素であるチャネル番号を特定する情報、ＥＳＳ又はＩＢＳＳの識別子を特定する情報と、当該ビーコン信号の受信電圧のレベルを特定する情報と、を無線通信部１１１より取得して、登録情報テーブル１１８ａに新たなレコードを作成して、当該レコードの対応する欄に格納する（Ｓ２６）。
【００９０】
そして、監視部１１５は、ＡＰ１１０で検出可能なチャネルの全てにおいてステップＳ２４の検出処理を行ったか否かを確認し（Ｓ２７）、全てのチャネルにおいて検出処理を行っている場合には（Ｓ２７でＹｅｓ）、ステップＳ２８に進み、全てのチャネルにおいて検出処理を行っていない場合には（Ｓ２７でＮｏ）、ステップＳ２３に戻り処理を繰り返す。
【００９１】
ステップＳ２８では、監視部１１５は、通信処理部１１４及び有線通信部１２２を介して、登録情報記憶領域１１８に記憶されている登録情報テーブル１１８ａを管理装置１３０に送信する。
【００９２】
そして、監視部１１５は、無線通信部１１１を制御することで、無線通信部１１１での通信チャネルを、自ＡＰ１１０の通信用のチャネルに戻し、通信処理を再開する（Ｓ２９）。
【００９３】
なお、図７に示す処理は、例えば、図６での処理が終了した後に行ってもよく、また、管理装置１３０又は通信端末１５０からの指示に応じて行ってもよく、さらに、ＡＰ１１０に入力部を設け（図示せず）、設けた入力部を介して指示の入力を受け付けた際に行ってもよい。
【００９４】
図８は、ＡＰ１１０が他のＡＰ１１０の通信状況を監視する処理を示すフローチャートである。
【００９５】
まず、ＡＰ１１０の監視部１１５は、ＡＰ１１０に予め定められている監視時刻になった場合には（Ｓ３０でＹｅｓ）、監視対象となるＡＰ１１０のリストである対象リストを作成する（Ｓ３１）。
【００９６】
対象リストは、監視リスト記憶領域１１９に記憶されている監視リストテーブル１１９ａの項番欄１１９ｅ、ＡＰ名欄１１９ｆ及びＢＳＳＩＤ欄１１９ｇに格納されている情報で特定されるＡＰ１１０を全てリスト化（これらの情報をリスト化）することにより作成する。
【００９７】
次に、監視部１１５は、他のＡＰ１１０での処理と重ならないように処理時刻を決定する（Ｓ３２）。例えば、監視部１１５は、乱数を生成又は取得して、当該乱数に対応する時間が経過した時を処理時刻とする。
【００９８】
そして、監視部１１５は、ステップＳ３２で決定した処理時刻になったか否かを確認し（Ｓ３３）、処理時刻になった場合には（ステップＳ３３でＹｅｓ）、自ＡＰ１１０を介して通信を行っている通信端末１５０があるか否かを、通信処理部１１４において確認する（Ｓ３４）。
【００９９】
そして、監視部１１５は、自ＡＰ１１０を介して通信を行っている通信端末１５０がない場合には（Ｓ３４でＮｏ）、ステップＳ３５に進み、ある場合には（Ｓ３４でＹｅｓ）、ステップＳ３０に戻って、次の監視時刻になるまで待機する。
【０１００】
ステップＳ３５では、監視部１１５は、通信処理部１１４に指示することで、通信処理部１１４での処理を停止する。
【０１０１】
次に、監視部１１５は、無線通信部１１１を制御して、未だステップＳ３７の処理を行っていないチャネルを一つ選択し、無線通信部１１１の通信チャネルを選択したチャネルに変更する（Ｓ３６）。
【０１０２】
そして、監視部１１５は、無線通信部１１１を介して、ステップＳ３６で変更されたチャネルにおいてＡＰ１１０からのビーコン信号を受信できるか否かにより、他のＡＰ１１０の検出を行う（Ｓ３７）。
【０１０３】
そして、監視部１１５は、ステップＳ３６で変更されたチャネルにおいてＡＰ１１０からのビーコン信号を受信できた場合には（Ｓ３８でＹｅｓ）、ステップＳ３９に進み、受信できなかった場合には（Ｓ３８でＮｏ）、ステップＳ４１に進む。
【０１０４】
ステップＳ３９では、監視部１１５は、ステップＳ３７で検出したビーコン信号のＭＡＣフレームよりＥＳＳＩＤを抽出し、抽出したＥＳＳＩＤに対応するＡＰ１１０が対象リストに含まれているか否かを確認する。
【０１０５】
そして、監視部１１５は、抽出したＥＳＳＩＤに対応するＡＰ１１０が対象リストに含まれている場合には（Ｓ３９でＹｅｓ）、ステップＳ４０に進み、含まれていない場合には（Ｓ３９でＮｏ）、ステップＳ４１に進む。
【０１０６】
ステップＳ４０では、監視部１１５は、ステップＳ３７で検出したビーコン信号の情報要素より、チャネル番号を特定する情報、ＥＳＳ又はＩＢＳＳの識別子を特定する情報、無線モードを特定する情報、暗号方式を特定する情報、ビーコン周期を特定する情報、と、当該ビーコン信号の受信電圧のレベルを特定する情報と、を無線通信部１１１より取得して、監視リストテーブル１１９の検出情報領域１１９ｃの対応する欄に格納する。
【０１０７】
また、ステップＳ４１では、監視部１１５は、ＡＰ１１０で検出可能なチャネルの全てにおいてステップＳ３７の検出処理を行ったか否かを確認し、全てのチャネルにおいて検出処理を行っている場合には（Ｓ４１でＹｅｓ）、ステップＳ４２に進み、全てのチャネルにおいて検出処理を行っていない場合には（Ｓ４１でＮｏ）、ステップＳ３６に戻り処理を繰り返す。
【０１０８】
次に、監視部１１５は、監視リストテーブル１１９ａにおいて、ビーコン信号を受信することのできたチャネルが登録情報領域１１９ｂに格納されているレコードの監視情報領域１１９ｄの再確認回数欄１１９ｑを「０」にクリアし、ビーコン信号を受信することのできなかったチャネルが登録情報領域１１９ｂに格納されているレコードの監視情報領域１１９ｄの再確認回数欄１１９ｑに「１」をインクリメントする（Ｓ４２）。
【０１０９】
そして、監視部１１５は、監視リストテーブル１１９ａの再確認回数欄１１９ｑに格納されている値を確認し、当該値が予め定めら得た回数を超えているレコードがあるか否かを確認する（Ｓ４３）。
【０１１０】
そして、そのようなレコードがある場合には（Ｓ４３でＹｅｓ）、ステップＳ４４に進み、そのようなレコードがない場合には（Ｓ４３でＮｏ）、ステップＳ４５に進む。
【０１１１】
ステップＳ４４では、監視部１１５は、監視下にあるＡＰ１１０に故障しているものがあるとして故障処理を行う。例えば、監視部１１５は、監視リストテーブル１１９ａの再確認回数欄１１９ｑに格納されている値が、予め定めら得た回数を超えているレコードの登録情報領域１１９ｂに格納されている情報を取得し、当該情報を故障が発生しているＡＰ１１０を特定する故障情報として、故障情報記憶領域１２０に記憶するとともに、有線通信部１１０を介して管理装置１３０に送信する処理を行う。
【０１１２】
そして、ステップＳ４５では、監視部１１５は、無線通信部１１１を制御することで、無線通信部１１１での通信チャネルを、自ＡＰ１１０の通信用のチャネルに戻し、通信処理を再開する。
【０１１３】
次に、監視部１１５は、監視リストテーブル１１９ａの再確認回数欄１１９ｑに格納されている値を確認し、当該値が「１」以上のレコードがあるか否かを確認する（Ｓ４３）。
【０１１４】
そして、そのようなレコードがない場合には（Ｓ４３でＮｏ）、監視部１１５は処理を終了し、そのようなレコードがある場合には（Ｓ４３でＹｅｓ）、監視部１１５は、ステップＳ４７に進む。
【０１１５】
ステップＳ４７では、監視リストテーブル１１９ａの再確認回数欄１１９ｑに格納されている値が「１」以上のレコードに対応するＡＰ１１０の情報を対象リストに残し、他のＡＰ１１０に対応する情報は対象リストから削除する。
【０１１６】
そして、監視部１１５は、自ＡＰ１１０を介して通信を行っている通信端末１５０があるか否かを、通信処理部１１４において確認する（Ｓ４８）。
【０１１７】
そして、監視部１１５は、自ＡＰ１１０を介して通信を行っている通信端末１５０がない場合には（Ｓ４８でＮｏ）、ステップＳ４９に進み、ある場合には（Ｓ４８でＹｅｓ）、ステップＳ３０に戻って、次の監視時刻になるまで待機する。
【０１１８】
ステップＳ４９では、監視部１１５は、ＡＰ１１０に予め定められている終了時刻になったか否かを確認し、終了時刻になった場合には（Ｓ４９でＹｅｓ）、ステップＳ３０に戻って、次の監視時刻になるまで待機し、終了時刻になっていない場合には（Ｓ４９でＮｏ）、ステップＳ３５に戻って処理を繰り返す。
【０１１９】
以上のように、本実施形態においては、ＡＰ１１０において監視対象となる他のＡＰ１１０が送信したビーコン信号を検知することで、監視対象となる他のＡＰ１１０からビーコン信号が送信されていない場合には、当該他のＡＰ１１０が故障したものと判断することができる。
【０１２０】
なお、図８に示す処理は、ステップＳ３０に示すように監視時刻になった時に行っているが、このような態様に限定されず、例えば、管理装置１３０又は通信端末１５０からの指示に応じて行ってもよく、さらに、ＡＰ１１０に入力部を設け（図示せず）、設けた入力部を介して指示の入力を受け付けた際に行ってもよい。このように、管理装置１３０又は通信端末１５０からの指示、ＡＰ１１０の入力部での指示、に応じて図８に示す処理を行うような場合には、ステップＳ３２及びステップＳ３３での処理時刻の決定及び経過の処理を行わずに処理を行うようにすることも可能である。
【０１２１】
また、図８のステップＳ３４及びステップＳ４８において、自ＡＰ１１０を介して通信を行っている通信端末１５０がある場合には、次の監視時刻になるまで待機するようにしているが、このような態様に限定されない。例えば、自ＡＰ１１０を介して通信を行っている通信端末１５０がある場合に、監視部１１５が再び乱数を生成又は取得して、当該乱数に対応する時間が過ぎた後に、再び通信中の端末があるか否かを検出して、なければステップＳ３５又はステップＳ４９以降の処理を行うようにしてもよい。
【０１２２】
さらに、図８のステップＳ４９において、予め定められた終了時刻が過ぎた場合には、次の監視時刻になるまで待機するようにしているが、このような態様に限定されない。例えば、予め定められた終了時刻が過ぎた場合でも、監視リストテーブル１１９ａの再確認回数欄１１９ｑに格納されている値を確認し、当該値が予め定められた回数（例えば、ステップ４３で閾値となる回数から「１」をマイナスしたもの等）以上のレコードがある場合には、ステップＳ３５に戻り処理を繰り返すようにしてもよい。
【０１２３】
また、以上に記載した実施形態においては、各ＡＰ１１０で生成した管理情報テーブル１１８ａを管理装置１３０に送信し、管理装置１３０において監視リストテーブル１１９ａを生成するようにしているが、このような態様に限定されず、例えば、管理情報テーブル１１８ａに格納されている受信レベルが予め定められた値を超えたＡＰ１１０に対応する情報を、監視リストテーブル１１９ａの対応する欄に格納することにより、監視リストテーブル１１９ａを各ＡＰ１１０で生成するようにすることも可能である。
【０１２４】
また、以上に記載した実施形態においては、ＡＰ１１０の監視部１１５は、生成した故障情報を管理装置１３０に送信するようにしているが、このような態様に限定されない。例えば、ＡＰ１１０に出力部を設けて（図示せず）、当該出力部から所定の形式で故障情報を出力するようにしてもよく、また、管理装置１３０からの指示があってから、管理装置１３０に故障情報を送信するようにすることも可能である。
【０１２５】
さらに、以上に記載した実施形態においては、図８のステップＳ３６において、自ＡＰ１１０が通信を行うことのできる全てのチャネルから一つずつチャネルを選択して、選択したチャネルに通信チャネルを変更するようにしているが、このような態様に限定されず、例えば、監視リストテーブル１１９ａのチャネル欄１１９ｈに格納されているチャネルから一つずつチャネルを選択するようにすることも可能である。
【図面の簡単な説明】
【０１２６】
【図１】通信システムの概略図。
【図２】ＡＰの概略図。
【図３】登録情報テーブルの概略図。
【図４】監視リストテーブルの概略図。
【図５】管理装置の概略図。
【図６】ＡＰにおける自己診断処理を示すフローチャート。
【図７】ＡＰが他のＡＰの通信状況を取得する処理を示すフローチャート。
【図８】ＡＰが他のＡＰの通信状況を監視する処理を示すフローチャート。
【符号の説明】
【０１２７】
１００  通信システム
１１０  ＡＰ
１１１  無線通信部
１１２  制御部
１１３  全体制御部
１１４  通信処理部
１１５  監視部
１１７  記憶部
１１８  登録情報記憶領域
１１９  監視リスト記憶領域
１２０  故障情報記憶領域
１２２  有線通信部
１３０  管理装置
１３１  記憶部
１３２  管理情報記憶領域
１３３  監視リスト記憶領域
１３４  故障情報記憶領域
１３６  制御部
１３７  全体制御部
１３８  管理部
【図１】
2009284423.tif 000003
【図２】
2009284423.tif 000004
【図３】
2009284423.tif 000005
【図４】
2009284423.tif 000006
【図５】
2009284423.tif 000007
【図６】
2009284423.tif 000008
【図７】
2009284423.tif 000009
【図８】
2009284423.tif 000010